(57)【特許請求の範囲】
【請求項１】
第一のセルを収容する基地局を介して下りデータを受信するとともに、前記下りデータの受信のための制御情報を前記第一のセルを収容する基地局との間で送受信する下り通信手段と、
前記第一のセルとは異なる第二のセルを収容する基地局を介して上りデータを送信するとともに、前記上りデータの送信のための制御情報を前記第二のセルを収容する基地局との間で送受信する上り通信手段と、
を備え、
前記第一のセルを収容する基地局を介して下りデータを受信するとともに前記第二のセルを収容する基地局を介して上りデータを送信することを要求する要求信号を通信中の基地局へ送信することにより、前記通信中の基地局に対して、自装置へ前記下りデータを送信するように前記第一のセルを収容する基地局を制御させるとともに、自装置から前記上りデータを受信するように前記第二のセルを収容する基地局を制御させることを特徴とする端末装置。
【請求項２】
前記下り通信手段による通信と、前記上り通信手段による通信と、を時分割で切り替える制御手段を備えることを特徴とする請求項１に記載の端末装置。
【請求項３】
端末装置と、
第一のセルを収容し、前記端末装置へ下りデータを送信するとともに、前記下りデータの送信のための制御情報を前記端末装置との間で送受信する基地局と、
前記第一のセルとは異なる第二のセルを収容し、前記端末装置から上りデータを受信するとともに、前記上りデータの受信のための制御情報を前記端末装置との間で送受信する基地局と、
を含み、
前記端末装置は、前記第一のセルを収容する基地局を介して下りデータを受信するとともに前記第二のセルを収容する基地局を介して上りデータを送信することを要求する要求信号を通信中の基地局へ送信し、
前記通信中の基地局は、前記端末装置から送信された要求信号に基づいて、前記端末装置へ前記下りデータを送信するように前記第一のセルを収容する基地局を制御するとともに、前記端末装置から前記上りデータを受信するように前記第二のセルを収容する基地局を制御することを特徴とする通信システム。
【請求項４】
前記第一のセルを収容する基地局および前記第二のセルを収容する基地局は、前記端末装置との通信を互いに時分割で行うことを特徴とする請求項３に記載の通信システム。
【請求項５】
前記第一のセルを収容する基地局および前記第二のセルを収容する基地局の各通信に対して、前記下りデータと前記上りデータの各トラフィック量に基づいて時間リソースを割り当てることを特徴とする請求項４に記載の通信システム。
【請求項６】
前記第一のセルを収容する基地局および前記第二のセルを収容する基地局の各通信に対して、前記第一のセルを収容する基地局による通信と前記第二のセルを収容する基地局による通信の各干渉電力に基づいて時間リソースを割り当てることを特徴とする請求項４に記載の通信システム。
【請求項７】
前記第一のセルを収容する基地局は、前記下りデータの送信のために前記端末装置から受信する制御情報に割り当てた無線リソースを前記第二のセルを収容する基地局へ通知し、
前記第二のセルを収容する基地局は、前記第一のセルを収容する基地局から通知された時間リソースとは異なる無線リソースを前記第二のセルを収容する基地局の通信に割り当てることを特徴とする請求項４に記載の通信システム。
【請求項８】
前記端末装置は、前記第一のセルを収容する基地局の通信タイミングと、前記第二のセルを収容する基地局の通信タイミングと、を測定し、
前記第一のセルを収容する基地局および前記第二のセルを収容する基地局は、前記第一のセルを収容する基地局および前記第二のセルを収容する基地局の各通信に対して、前記端末装置によって測定された各タイミングに基づくガードタイムを有するように時間リソースを割り当てることを特徴とする請求項４に記載の通信システム。
【請求項９】
端末装置における通信方法において、
第一のセルを収容する基地局を介して下りデータを受信するとともに、前記下りデータの受信のための制御情報を前記第一のセルを収容する基地局との間で送受信する下り通信工程と、
前記第一のセルとは異なる第二のセルを収容する基地局を介して上りデータを送信するとともに、前記上りデータの送信のための制御情報を前記第二のセルを収容する基地局との間で送受信する上り通信工程と、
を含み、
前記第一のセルを収容する基地局を介して下りデータを受信するとともに前記第二のセルを収容する基地局を介して上りデータを送信することを要求する要求信号を通信中の基地局へ送信することにより、前記通信中の基地局に対して、自装置へ前記下りデータを送信するように前記第一のセルを収容する基地局を制御させるとともに、自装置から前記上りデータを受信するように前記第二のセルを収容する基地局を制御させることを特徴とする通信方法。
【発明の詳細な説明】
【技術分野】
【０００１】
本発明は、無線通信を行う端末装置、通信システムおよび通信方法に関する。
【背景技術】
【０００２】
近年、無線通信システムにおいて、マイクロセルやピコセルと呼ばれる小型のセルを配置することによって、不感地帯を埋めてセルカバレッジを拡大したり、平均受信電力を高めてスループットの改善を図ったりする手法が検討されている。通常、移動局は基地局から送信される信号の電力を測定し、より強い受信電力のセルに接続する制御を実施する。
【０００３】
このため、全ての基地局において信号送信電力が一定で、セルのサイズが同じである場合については、移動局の上記制御によって上下リンクにとって通信に最適なセルが選択される。最適なセルとは、たとえば、下りリンクについては移動局における受信電力が最大となり、上りリンクについては基地局における受信電力が最大となるセルである。
【０００４】
一方、異なるサイズのセルが混在し、基地局からの送信電力が異なる無線通信システムにおいては、大型セルと小型セルの中間地点において、上りリンクの受信電力が最大となるセルと、下りリンクの受信電力が最大となるセルとが異なる場合がある。これは、移動局で測定される下りリンクの受信電力は各基地局の送信電力と下り伝搬損失の二つの要因に依存するのに対して、基地局で測定される上りリンクの受信電力は上り伝搬損失に依存するためである。
【０００５】
たとえば、移動局における下りリンクの受信電力は送信電力が大きい大型セルの方が強くとも、基地局側における移動局からの受信電力は距離が近く伝搬損失の小さい小型セルの方が大きくなることがある。このような状態においては、従来通り基地局からの受信電力に従って移動局の所属セルを決定した場合は、下りリンクの受信品質は改善するが、上りリンクの受信品質は逆に劣化することになる。
【０００６】
これに対して、上りリンクと下りリンクについてそれぞれ異なるセルと通信を行う機能を基地局および移動局が有する技術が開示されている（たとえば、下記特許文献１，２および下記非特許文献１参照。）。たとえば、移動局は、下りリンクについては移動局における受信電力がより強いセルと通信を行い、上りリンクについては伝搬損失が小さく基地局における受信電力がより強いセルと通信を行う。
【先行技術文献】
【特許文献】
【０００７】
【特許文献１】特表２００７−５１４３６７号公報
【特許文献２】特開平６−２２４８２８号公報
【非特許文献】
【０００８】
【非特許文献１】森本  彰人，丹野  元博，岸山  祥久，三木  信彦，田岡  秀和，樋口  健一，佐和橋  衛，「ＬＴＥ−Ａｄｖａｎｃｅｄにおける異なるセル構成が混在する場合の上り／下り無線リンク接続方法  Ｄｏｗｎｌｉｎｋ／Ｕｐｌｉｎｋ  Ｒａｄｉｏ  Ｌｉｎｋ  Ｃｏｎｎｅｃｔｉｏｎ  Ｍｅｔｈｏｄｓ  ｉｎ  Ｈｅｔｅｒｏｇｅｎｅｏｕｓ  Ｎｅｔｗｏｒｋ  ｆｏｒ  ＬＴＥ−Ａｄｖａｎｃｅｄ」，２００８年電子情報通信学会通信ソサイエティ大会，２００８年９月１６日、ｐ．３２７
【発明の概要】
【発明が解決しようとする課題】
【０００９】
しかしながら、上述した従来技術では、上下リンクを異なるセルに接続すると制御情報のオーバヘッドが増大し、通信効率の劣化を引き起こすという問題がある。たとえば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）やＬＴＥ（Ｌｏｎｇ  Ｔｅｒｍ  Ｅｖｏｌｕｔｉｏｎ）などの各種の無線通信方式においては、一般的に、無線区間制御のために多くの制御情報を移動局と基地局との間で交換する。
【００１０】
この制御情報には、たとえば、送信データの送達確認のためのフィードバック情報や無線リソースの割当通知などが含まれる。上下リンクにおいて一方向のみに通信を制限すると、これらの制御情報を基地局間の有線通信路で転送することになるため、各基地局におけるスケジューリング処理が複雑化する。たとえば、各基地局同士で制御情報の転送などを行う場合は、各基地局におけるスケジューリング処理を基地局ごとに独立して行うことは困難である。また、制御情報の転送などによるスケジューリング処理の遅延が生じる。
【００１１】
開示の端末装置、通信システムおよび通信方法は、上述した問題点を解消するものであり、安定して通信を行うことを目的とする。
【課題を解決するための手段】
【００１２】
上述した課題を解決し、目的を達成するため、この端末装置は、第一のセルを収容する基地局を介して下りデータを受信するとともに、前記下りデータの受信のための制御情報を第一のセルを収容する基地局との間で送受信する下り通信手段と、前記第一のセルとは異なる第二のセルを収容する基地局を介して上りデータを送信するとともに、前記上りデータの送信のための制御情報を前記第二のセルを収容する基地局との間で送受信する上り通信手段とを備える。
【発明の効果】
【００１３】
開示の端末装置、通信システムおよび通信方法によれば、通信効率を向上させることができる。
【図面の簡単な説明】
【００１４】
【図１】図１は、実施の形態１にかかる通信システムの構成を示す図である。
【図２】図２は、実施の形態１にかかる端末装置の構成例を示す図である。
【図３】図３は、実施の形態２にかかる端末装置の構成例を示す図である。
【図４】図４は、実施の形態２にかかる時間リソースの割り当てを示す図である。
【図５】図５は、実施の形態２にかかる端末装置の動作の一例を示すフローチャートである。
【図６】図６は、実施の形態２にかかる通信システムの処理の一例を示す図である。
【図７】図７は、図６に示した通信システムの処理の変形例を示す図である。
【図８】図８は、実施の形態３にかかる通信システムの動作の一例を示す図である。
【図９】図９は、実施の形態３にかかる時間リソースの割り当てを示す図である。
【図１０】図１０は、実施の形態４にかかる通信システムの動作の一例を示す図である。
【図１１】図１１は、実施の形態４にかかる時間リソースの割り当ての一例を示す図である。
【図１２】図１２は、実施の形態５にかかる通信システムの処理を示す図である。
【図１３】図１３は、実施の形態５にかかる時間リソースの割り当ての一例を示す図である。
【図１４】図１４は、上りリンクと下りリンクのタイミングの重なりの一例を示す図である。
【図１５】図１５は、実施の形態６にかかる通信システムの処理を示す図である。
【図１６】図１６は、実施の形態６にかかる時間リソースの割り当ての一例を示す図である。
【図１７】図１７は、図１に示した通信システムの変形例を示す図である。
【図１８】図１８は、図１７に示した基地局の処理の一例を示す図である。
【発明を実施するための形態】
【００１５】
以下に図面を参照して、この端末装置、通信システムおよび通信方法の好適な実施の形態を詳細に説明する。
【００１６】
（実施の形態１）
図１は、実施の形態１にかかる通信システムの構成を示す図である。図１に示すように、実施の形態１にかかる通信システム１００は、端末装置１１０と、第一基地局１２０と、第二基地局１３０と、を含んでいる。端末装置１１０は、たとえば携帯電話などの、無線通信が可能な移動局である。端末装置１１０の通信方式は、たとえば、上りリンクと下りリンクの通信を同時期に行う全２重である。第一基地局１２０は第一のセルを収容し、第二基地局１３０は第一のセルとは異なる第二のセルを収容する。
【００１７】
端末装置１１０は、上りリンクと下りリンクのそれぞれについて基地局を選択し、選択した基地局を介してネットワークと通信を行う。たとえば、端末装置１１０は、上りリンクと下りリンクの両方について、一つの基地局（たとえば第一基地局１２０）を介してネットワークと通信する。また、端末装置１１０は、通信環境によっては、上りリンクと下りリンクとで異なる基地局を介してネットワークと通信する。
【００１８】
ここでは、端末装置１１０が、下りリンクについては第一基地局１２０を介してネットワークと通信するとともに、上りリンクについては第二基地局１３０を介してネットワークと通信する状況について説明する。
【００１９】
端末装置１１０は、下りリンクにおいて、第一基地局１２０から下りデータ１４１を受信する。また、端末装置１１０は、下りデータ１４１の受信のための制御情報を第一基地局１２０との間で送受信する。具体的には、端末装置１１０は、下りデータ１４１の受信のための下り制御情報１４２を第一基地局１２０から受信するとともに、下りデータ１４１の送信のための上り制御情報１４３を第一基地局１２０へ送信する。
【００２０】
また、端末装置１１０は、上りリンクにおいて、第二基地局１３０へ上りデータ１５１を送信する。また、端末装置１１０は、上りデータ１５１の送信のための制御情報を第二基地局１３０との間で送受信する。具体的には、端末装置１１０は、上りデータ１５１の送信のための上り制御情報１５２を第二基地局１３０へ送信するとともに、上りデータ１５１の送信のための下り制御情報１５３を第二基地局１３０から受信する。
【００２１】
図２は、実施の形態１にかかる端末装置の構成例を示す図である。図１に示すように、端末装置１１０は、アンテナ２１０と、サーキュレータ２２０と、周波数変換回路２３０，２４０と、アナログデジタル変換回路２５０と、デジタルアナログ変換回路２６０と、下り受信部２７０と、上り送信部２８０と、を備えている。
【００２２】
アンテナ２１０は、第一基地局１２０や第二基地局１３０などの基地局と無線通信を行うためのアンテナである。アンテナ２１０は、無線により受信した信号をサーキュレータ２２０へ出力する。また、アンテナ２１０は、サーキュレータ２２０から出力された信号を無線により送信する。サーキュレータ２２０は、アンテナ２１０から出力された信号を周波数変換回路２３０へ出力する。また、サーキュレータ２２０は、周波数変換回路２４０から出力された信号をアンテナ２１０へ出力する。
【００２３】
周波数変換回路２３０は、サーキュレータ２２０からの高周波の信号をベースバンドに変換し、ベースバンドに変換した信号をアナログデジタル変換回路２５０へ出力する。周波数変換回路２４０は、デジタルアナログ変換回路２６０からのベースバンドの信号を高周波に変換し、高周波に変換した信号をサーキュレータ２２０へ出力する。
【００２４】
アナログデジタル変換回路２５０（Ａ／Ｄ：Ａｎａｌｏｇ／Ｄｉｇｉｔａｌ）は、周波数変換回路２３０から出力されたアナログの信号をデジタルの信号に変換して下り受信部２７０へ出力する。デジタルアナログ変換回路２６０（Ｄ／Ａ：Ｄｉｇｉｔａｌ／Ａｎａｌｏｇ）は、上り送信部２８０から出力されたデジタルの信号をアナログの信号に変換して周波数変換回路２４０へ出力する。
【００２５】
下り受信部２７０は、２系統の下り受信回路２７１，２７２を備えている。たとえば、端末装置１１０が下りリンクについて第一基地局１２０を介して通信を行う場合には、下り受信回路２７１が第一基地局１２０からの下りデータおよび関連する制御情報の受信を行う。また、下り受信回路２７２が第二基地局１３０に対する上りデータ送信に関連する制御情報の受信を行う。
【００２６】
具体的には、下り受信回路２７１は、アナログデジタル変換回路２５０から出力された信号について、第一基地局１２０に関連する制御情報を用いて復調を行い、第一基地局１２０から送信された信号を受信する。下り受信回路２７１は、受信した信号のうちのデータ信号（受信データ）を上位回路へ出力し、送達確認情報などの第一基地局１２０にフィードバックすべき制御情報を上り送信回路２８１へ出力する。
【００２７】
下り受信回路２７２は、アナログデジタル変換回路２５０から出力された信号について、第二基地局１３０に関連する制御情報を用いて復調を行い、第二基地局１３０から送信された信号を受信する。下り受信回路２７２は、上りデータ送信に必要となる送達確認情報やリソース割り当て情報などの制御情報について、実際に上りデータ送信を実施する上り送信回路２８２へ出力する。
【００２８】
上り送信部２８０は、２系統の上り送信回路２８１，２８２および加算回路２８３を備えている。たとえば、端末装置１１０が上りリンクについて第二基地局１３０を介して通信を行う場合は、上り送信回路２８１が第二基地局１３０に対する上りデータおよび関連する制御情報の送信を行う。また、上り送信回路２８２が第一基地局１２０に対する下りデータ送信に関連する制御情報の送信を行う。加算回路２８３は、上り送信回路２８１，２８２から出力された送信信号を加算してベースバンド信号を生成する。
【００２９】
具体的には、上り送信回路２８２は、下り受信回路２７２から出力された第二基地局１３０に関連する制御情報を用いて送信データの変調を行い、加算回路２８３に対して変調した信号を出力する。上り送信回路２８１は、下り受信回路２７１から出力された下りデータに関連する制御情報の変調を行い、加算回路２８３に対して変調した信号を出力する。加算回路２８３は、上り送信回路２８１，２８２から出力された信号を加算し、加算した信号をベースバンド信号としてデジタルアナログ変換回路２６０へ出力する。
【００３０】
下り受信部２７０および上り送信部２８０のそれぞれは、たとえばＤＳＰ（Ｄｉｇｉｔａｌ  Ｓｉｇｎａｌ  Ｐｒｏｃｅｓｓｏｒ）により実現することができる。ただし、下り受信部２７０および上り送信部２８０を一つのＤＳＰにより実現することも可能である。
【００３１】
このように、実施の形態１にかかる通信システム１００においては、端末装置１１０が、上りリンクと下りリンクのデータ伝送において異なる基地局を用いる。これにより、上りリンクと下りリンクで最適な基地局が異なる場合においても通信品質を向上させることができる。たとえば、端末装置１１０は、下りリンクについては端末装置１１０における受信電力がより強い基地局（たとえば第一基地局１２０）と通信を行う。また、端末装置１１０は、上りリンクについては伝搬損失がより小さく基地局における受信電力がより強い基地局（たとえば第二基地局１３０）と通信を行う。
【００３２】
また、データ伝送を行うための制御情報については各基地局との間で双方向に伝送することで、各基地局におけるスケジューリング処理を簡略化することができる。たとえば、各基地局同士で制御情報の転送などを行わなくても、各基地局におけるスケジューリング処理を基地局ごとに独立して行うことができる。このため、制御情報の転送などによる遅延を回避しつつ、簡易な処理により安定してスケジューリング処理を行うことができる。
【００３３】
なお、制御情報はデータに比べてトラフィック量が少ないため信号電力が小さい。したがって、制御情報については双方向に伝送しても信号ロスが小さく、通信品質に与える影響は小さい。このように、上りと下りのデータ伝送において異なる基地局を用いるとともに制御情報については各基地局との間で双方向に伝送することで、各基地局におけるスケジューリング処理を簡略化し、安定して通信を行うことができる。
【００３４】
（実施の形態２）
上述の実施の形態１において、制御情報を単純に双方向に伝送可能にした場合は、同一のリンク方向で異なる基地局との通信が発生しうる。たとえば、端末装置１１０が、第一基地局１２０へ制御情報を送信すると同時に、第二基地局１３０へ上りデータや制御信号を送信することがある。または、端末装置１１０が、第一基地局１２０から下りデータや制御情報を受信すると同時に、第二基地局１３０から制御信号を受信することがある。
【００３５】
また、端末装置１１０において、第一基地局１２０との通信と第二基地局１３０との通信とのタイミングを完全に一致させることは困難である。したがって、同一のリンク方向で異なる基地局との通信を行う場合は、たとえば端末装置１１０において独立に動作する２系統の通信回路を搭載（たとえば図２の下り受信回路２７１，２７２および上り送信回路２８１，２８２）することになる。
【００３６】
また、端末装置１１０の最大送信電力はアンテナ２１０などの制約により一定であるため、異なる基地局に対して同時に信号を送信すると、各信号の送信電力が不足し、通信品質が劣化することも考えられる。これに対して、実施の形態２においては、第一基地局１２０と第二基地局１３０が、端末装置１１０との通信を互いに時分割で行う。実施の形態２にかかる通信システムの基本的な構成は、実施の形態１にかかる通信システム（図１参照）と同様であるため説明を省略する。
【００３７】
図３は、実施の形態２にかかる端末装置の構成例を示す図である。図３において、図２に示した構成と同様の構成については同一の符号を付して説明を省略する。図３に示すように、実施の形態２にかかる端末装置１１０は、図２に示した下り受信部２７０および上り送信部２８０に代えて、下り受信回路３１０、上り送信回路３２０および時分割制御回路３３０を備えている。下り受信回路３１０および上り送信回路３２０は、たとえばＤＳＰによって実現することができる。
【００３８】
下り受信回路３１０は、図２に示した下り受信部２７０と同様の機能を有する。すなわち、下り受信回路３１０は、第一基地局１２０から下りデータを送信するとともに、上りデータ送信のための制御情報を第一基地局１２０から受信し上り送信部に出力する。上り送信回路３２０は、図２に示した上り送信部２８０と同様の機能を有する。すなわち、上り送信回路３２０は、第二基地局１３０に対して上りデータを送信するとともに、第一基地局１２０からの下りデータ受信に関連する制御情報を第一基地局１２０に送信する。
【００３９】
時分割制御回路３３０は、下り受信回路３１０および上り送信回路３２０に対して通信対象の基地局を時分割で切り替える制御を行う。たとえば、端末装置１１０は、第一基地局１２０および第二基地局１３０から、互いに異なる時間リソースの割り当てを通知される。時分割制御回路３３０は、第一基地局１２０から通知された時間リソースによって下り受信回路３１０および上り送信回路３２０に第一基地局１２０に対する（下りデータ）通信を実行させる。また、時分割制御回路３３０は、第二基地局１３０から通知された時間リソースによって下り受信回路３１０および上り送信回路３２０に第二基地局１３０に対する（上りデータ）通信を実行させる。
【００４０】
図４は、実施の形態２にかかる時間リソースの割り当てを示す図である。図４において、横軸は、無線リソースを時分割した時間リソースである無線フレーム「０」〜「９」を示している。図３に示した端末装置１１０は、無線フレーム「０」〜「９」をそれぞれ下り受信回路３１０および上り送信回路３２０のいずれかに割り当てることで、下り受信回路３１０による通信と、上り送信回路３２０による通信と、を時分割で切り替える。
【００４１】
下りリンクチャネル４１０は、端末装置１１０の下り受信回路３１０が第一基地局１２０との間で行う下りリンクの通信に関するチャネルである。下りリンクチャネル４１０には、下り制御チャネル４１１と、下りデータチャネル４１２と、上り制御チャネル４１３と、が含まれている。ここでは、下りリンクチャネル４１０に対して偶数番目の無線フレーム「０」，「２」，「４」，「６」，「８」が割り当てられている。
【００４２】
無線フレーム「０」においては、下り制御チャネル４１１の制御情報４１１ａと、下りデータチャネル４１２のデータ４１２ａと、が第一基地局１２０から端末装置１１０へ伝送される。制御情報４１１ａは、端末装置１１０がデータ４１２ａを受信するための制御情報であり、たとえばデータ４１２ａを送信するために割り当てた無線リソースを示す情報である。また、無線フレーム「４」においては、上り制御チャネル４１３の制御情報４１３ａが端末装置１１０から第一基地局１２０へ伝送される。制御情報４１３ａは、たとえばデータ４１２ａに対する送達確認情報（ＡｃｋまたはＮａｃｋ）である。
【００４３】
上りリンクチャネル４２０は、端末装置１１０の上り送信回路３２０が第二基地局１３０との間で行う上りリンクの通信に関するチャネルである。上りリンクチャネル４２０には、下り制御チャネル４２１と、上りデータチャネル４２２と、上り制御チャネル４２３と、が含まれている。ここでは、上りリンクチャネル４２０に対して奇数番目の無線フレーム「１」，「３」，「５」，「７」，「９」が割り当てられている。
【００４４】
たとえば、無線フレーム「１」においては、下り制御チャネル４２１の制御情報４２１ａが第二基地局１３０から端末装置１１０へ伝送される。制御情報４２１ａは、端末装置１１０がデータ４２２ａを送信するための制御情報であり、たとえばデータ４２２ａを送信するために割り当てた無線リソースを示す情報である。
【００４５】
また、無線フレーム「５」においては、上りデータチャネル４２２のデータ４２２ａが端末装置１１０から第二基地局１３０へ伝送される。また、無線フレーム「９」においては、上り制御チャネル４２３の制御情報４２３ａが端末装置１１０から第二基地局１３０へ伝送される。上り制御チャネル４２３は、たとえばデータ４２２ａの次のデータの送信に対する無線リソースの割り当てを第二基地局１３０へ要求する情報である。
【００４６】
このように、下りリンクチャネル４１０と、上りリンクチャネル４２０と、で無線リソースを時分割することで、上り送信回路３２０による通信と、下り受信回路３１０による通信と、の衝突を回避することができる。無線リソースを時分割するための通信システム１００の動作について以下に説明する。
【００４７】
図５は、実施の形態２にかかる端末装置の動作の一例を示すフローチャートである。端末装置１１０はたとえば以下の各ステップを行う。まず、第一基地局１２０および第二基地局１３０から送信される各パイロット信号を受信し、第一基地局１２０および第二基地局１３０からの各受信電力を測定する（ステップＳ５０１）。
【００４８】
つぎに、ステップＳ５０１によって測定された各受信電力に基づいて、第一基地局１２０および第二基地局１３０の中から下りリンクの基地局を選択する（ステップＳ５０２）。ステップＳ５０２においては、たとえば、第一基地局１２０および第二基地局１３０のうちの受信電力が大きい基地局を下りリンクの基地局として選択する。
【００４９】
つぎに、第一基地局１２０および第二基地局１３０から送信される各送信電力情報を受信する（ステップＳ５０３）。第一基地局１２０および第二基地局１３０から送信される各送信電力情報は、それぞれ第一基地局１２０および第二基地局１３０が送信する各パイロット信号の送信電力を示している。
【００５０】
つぎに、ステップＳ５０１によって測定された各受信電力と、ステップＳ５０３によって受信された各送信電力情報と、に基づいて第一基地局１２０および第二基地局１３０の各伝搬損失を算出する（ステップＳ５０４）。ステップＳ５０１によって測定される受信電力をＴＰとし、ステップＳ５０３によって受信される送信電力情報が示す送信電力をＲＰとすると、ステップＳ５０４において算出される伝搬損失ＰＬは、たとえばＴＰ−ＲＰによって示すことができる。
【００５１】
つぎに、ステップＳ５０４によって算出された各伝搬損失に基づいて、第一基地局１２０および第二基地局１３０の中から上りリンクの基地局を選択する（ステップＳ５０５）。ステップＳ５０５においては、たとえば、第一基地局１２０および第二基地局１３０のうちの伝搬損失が小さい基地局を上りリンクの基地局として選択する。
【００５２】
つぎに、ステップＳ５０２によって選択された基地局と、ステップＳ５０５によって選択された基地局と、が異なるか否かを判断する（ステップＳ５０６）。各基地局が同じ場合（ステップＳ５０６：Ｎｏ）は、一連の動作を終了する。この場合は、端末装置１１０は、上りリンクと下りリンクにおいて、第一基地局１２０または第二基地局１３０のいずれかと通信を行うことになる。
【００５３】
ステップＳ５０６において、各基地局が異なる場合（ステップＳ５０６：Ｙｅｓ）は、現在において通信中の基地局に対して、非対称伝送を要求する非対称伝送要求を送信し（ステップＳ５０７）、一連の動作を終了する。ステップＳ５０７によって送信された非対称伝送要求には、端末装置１１０の上りリンクに対応する基地局と下りリンクに対応する基地局との情報が含まれている。
【００５４】
たとえば、ステップＳ５０２によって第一基地局１２０が下りリンクの基地局として選択され、ステップＳ５０５によって第二基地局１３０が上りリンクの基地局として選択されたとする。この場合は、非対称伝送要求には、第一基地局１２０を下りリンクの基地局とし、第二基地局１３０を上りリンクの基地局とする旨の情報が含まれる。
【００５５】
非対称伝送要求を受信した基地局は、非対称伝送要求に基づいて、端末装置１１０からの上りデータを受信するように第二基地局１３０を制御するとともに、端末装置１１０へ下りデータを送信するように第一基地局１２０を制御する。たとえば、非対称伝送要求を受信した基地局が第一基地局１２０である場合は、第一基地局１２０は、端末装置１１０の下りリンクの通信を行うとともに、端末装置１１０の上りリンクの通信を行うように第二基地局１３０を制御する。
【００５６】
図６は、実施の形態２にかかる通信システムの処理の一例を示す図である。図６において、図１に示した構成と同様の構成については同一の符号を付して説明を省略する。ここでは、端末装置１１０が第一基地局１２０と通信を行っている状態で、図５のステップＳ５０２によって第一基地局１２０が下りリンクの基地局として選択され、ステップＳ５０５によって第二基地局１３０が上りリンクの基地局として選択されたとする。
【００５７】
この場合は、端末装置１１０は、図５のステップＳ５０７において非対称伝送要求（要求信号）を第一基地局１２０へ送信する。端末装置１１０が送信する非対称伝送要求には、非対称伝送において上りリンクに対応する基地局と、下りリンクに対応する基地局と、を示す対象基地局の情報が含まれている。
【００５８】
第一基地局１２０は、端末通信部６１１と、時分割制御部６１２と、無線スケジューラ６１３と、基地局間通信部６１４と、を備えている。端末通信部６１１は、端末装置１１０から送信された非対称伝送要求を受信して時分割制御部６１２へ出力する。時分割制御部６１２は、端末通信部６１１から出力された非対称伝送要求に含まれる対象基地局の情報に基づいて、上りリンクと下りリンクに対して時間リソースを割り当てる。
【００５９】
たとえば、時分割制御部６１２は、上りリンクに対して奇数番目の無線フレーム「１」，「３」，「５」，「７」，「９」を割り当て、下りリンクに対して偶数番目の無線フレーム「０」，「２」，「４」，「６」，「８」を割り当てる（図４参照）。時分割制御部６１２は、下りリンクに割り当てた時間リソースを無線スケジューラ６１３へ通知する。
【００６０】
また、時分割制御部６１２は、非対称伝送要求を、基地局間通信部６１４を介して第二基地局１３０へ通知する。時分割制御部６１２が送信する非対称伝送要求には、第二基地局１３０が上りリンクに対応することを示すリンク方向の情報と、上りリンクに割り当てた時間リソースの情報と、が含まれている。
【００６１】
無線スケジューラ６１３は、時分割制御部６１２から通知された時間リソースによって、第一基地局１２０から端末装置１１０への下りリンクのスケジューリングを行う。第一基地局１２０は、無線スケジューラ６１３によるスケジューリングの結果に基づいて端末装置１１０との間で下りリンクの通信を行う。
【００６２】
第二基地局１３０は、基地局間通信部６２１と、無線スケジューラ６２２と、を備えている。基地局間通信部６２１は、第一基地局１２０から送信された非対称伝送要求を受信する。基地局間通信部６２１は、受信した非対称伝送要求に含まれるリンク方向と時間リソースとを無線スケジューラ６２２へ通知する。
【００６３】
無線スケジューラ６２２は、基地局間通信部６２１から通知された時間リソースによって、端末装置１１０から第二基地局１３０への上りリンクのスケジューリングを行う。第二基地局１３０は、無線スケジューラ６２２によるスケジューリングの結果に基づいて端末装置１１０との間で上りリンクの通信を行う。
【００６４】
なお、端末装置１１０と第一基地局１２０との間の非対称伝送要求の伝送は、互いの無線通信インターフェースを介して行われる。また、第一基地局１２０と第二基地局１３０との間の非対称伝送要求の伝送は、互いの通信インターフェースを介して行われ、たとえば有線通信によって実現される。
【００６５】
図７は、図６に示した通信システムの処理の変形例を示す図である。図７において、図６に示した構成と同様の構成については同一の符号を付して説明を省略する。ここでは、通信システム１００は、端末装置１１０と、第一基地局１２０と、第二基地局１３０と、第三基地局７１０と、を含んでいるとする。また、端末装置１１０が第一基地局１２０と通信を行っている状態で、図５のステップＳ５０２によって第二基地局１３０が上りリンクの基地局として選択され、ステップＳ５０５によって第三基地局７１０が下りリンクの基地局として選択されたとする。
【００６６】
この場合は、端末装置１１０は、図５のステップＳ５０７において非対称伝送要求を第一基地局１２０へ送信する。時分割制御部６１２は、非対称伝送要求を、基地局間通信部６１４を介して第二基地局１３０および第三基地局７１０へ送信する。
【００６７】
第二基地局１３０へ通知される非対称伝送要求には、第二基地局１３０が上りリンクに対応することを示すリンク方向の情報と、上りリンクに割り当てた時間リソースの情報と、が含まれている。第三基地局７１０へ通知される非対称伝送要求には、第三基地局７１０が下りリンクに対応することを示すリンク方向の情報と、下りリンクに割り当てた時間リソースの情報と、が含まれている。
【００６８】
第三基地局７１０は、基地局間通信部７１１と、無線スケジューラ７１２と、を備えている。基地局間通信部７１１は、第一基地局１２０から送信された非対称伝送要求を受信する。基地局間通信部７１１は、受信した非対称伝送要求に含まれるリンク方向と時間リソースとを無線スケジューラ７１２へ通知する。
【００６９】
無線スケジューラ７１２は、基地局間通信部７１１から通知された時間リソースによって、第三基地局７１０から端末装置１１０への下りリンクのスケジューリングを行う。第三基地局７１０は、無線スケジューラ７１２によるスケジューリングの結果に基づいて端末装置１１０と下りリンクの通信を行う。このように、端末装置１１０から非対称伝送要求を受信する基地局は、上りリンクおよび下りリンクに対応する基地局でなくてもよい。
【００７０】
このように、実施の形態２にかかる通信システム１００においては、上りリンクの通信と、下りリンクの通信と、を互いに時分割で行う。これにより、同一のリンク方向で異なる基地局との通信が発生することを回避することができる。
【００７１】
このため、実施の形態１にかかる通信システム１００と同様の効果を奏するとともに、端末装置１１０の通信回路を簡略化して端末装置１１０の製造コストや消費電力を抑えることができる。また、異なる基地局に対して同時に信号を送信することを回避することができるため、信号の送信電力を確保し、通信品質を向上させることができる。
【００７２】
（実施の形態３）
図８は、実施の形態３にかかる通信システムの動作の一例を示す図である。図８において、図６に示した構成と同様の構成については同一の符号を付して説明を省略する。図８に示すように、第一基地局１２０は、図６に示した構成に加えてトラフィック測定部８１０を備えている。
【００７３】
トラフィック測定部８１０は、端末装置１１０における上りリンクのトラフィック量と、端末装置１１０における下りリンクのトラフィック量と、を測定する。たとえば、トラフィック測定部８１０は、端末装置１１０が第一基地局１２０へ送信する下りリンクの要求情報や、端末装置１１０が第二基地局１３０へ送信する上りリンクの要求情報などを取得し、取得した要求情報に基づいて各トラフィック量を測定する。
【００７４】
トラフィック測定部８１０は、測定した各トラフィック量を時分割制御部６１２へ通知する。なお、トラフィック測定部８１０から時分割制御部６１２への各トラフィック量の通知は、定期的に行っていてもよいし、第一基地局１２０が端末装置１１０から非対称伝送要求を受信した場合に行ってもよい。
【００７５】
時分割制御部６１２は、トラフィック測定部８１０から通知された各トラフィック量に基づいて、端末装置１１０における上りリンクのデータレートと、端末装置１１０における下りリンクのデータレートと、の比率を算出する。そして、時分割制御部６１２は、算出したデータレートの比率に最も近くなるように、端末装置１１０の上りリンクと下りリンクに対して時間リソースの割り当てを行う。
【００７６】
たとえば、時分割制御部６１２は、下りリンクのデータレートが３８４［ｋｂｐｓ］、上りリンクのデータレートが１２８［ｋｂｐｓ］であった場合には、下りリンクと上りリンクのデータレートの比率は３：１となる。この場合は、時分割制御部６１２は、下りリンクに割り当てられる時間リソースと、上りリンクに割り当てられる時間リソースと、の比率も３：１となるように割り当てを行う（たとえば図９参照）。
【００７７】
図９は、実施の形態３にかかる時間リソースの割り当てを示す図である。図９において、図４に示した部分と同様の部分については同一の符号を付して説明を省略する。ここでは、トラフィック測定部８１０による測定の結果、下りリンクのデータレートが３８４［ｋｂｐｓ］、上りリンクのデータレートが１２８［ｋｂｐｓ］であり、下りリンクと上りリンクのデータレートの比率が３：１であったとする。
【００７８】
この場合は、時分割制御部６１２は、たとえば、下りリンクチャネル４１０に対して無線フレーム「０」，「２」，「３」，「４」，「６」，「７」，「８」を割り当てる。また、時分割制御部６１２は、上りリンクチャネル４２０に対して無線フレーム「１」，「５」，「９」を割り当てる。
【００７９】
これにより、下りリンクに割り当てられる時間リソースと、上りリンクに割り当てられる時間リソースと、の比率がおよそ３：１となる。このように、時間リソース割り当て処理において、上下トラフィックの多寡に基づいて、下りリンクと上りリンクの時間リソースの割り当てを動的に変更する。
【００８０】
このように、実施の形態３にかかる通信システム１００においては、端末装置１１０における上りリンクと下りリンクに対して、上りデータと下りデータの各トラフィック量に基づいて時間リソースを割り当てる。これにより、上りリンクと下りリンクに対して時間リソースを効率よく割り当てることができる。たとえばデータ通信においては、上りリンクと下りリンクとでトラフィック量の差が大きい。このため、上りデータと下りデータの各トラフィック量に応じた割合で時間リソースを割り当てることで、時間リソースを効率的に用いることができる。
【００８１】
（実施の形態４）
図１０は、実施の形態４にかかる通信システムの動作の一例を示す図である。図１０において、図６に示した構成と同様の構成については同一の符号を付して説明を省略する。図１０に示すように、実施の形態４にかかる端末装置１１０は干渉電力測定部１０１１を備えている。また、実施の形態４にかかる第二基地局１３０は、図６に示した構成に加えて干渉電力測定部１０１２を備えている。
【００８２】
端末装置１１０の干渉電力測定部１０１１は、無線リソースを時分割した無線フレームごとに、第一基地局１２０から端末装置１１０への下りリンクの干渉電力を測定する。たとえば、干渉電力測定部１０１１は、第一基地局１２０から送信される信号（たとえばパイロット信号）に基づいて干渉電力を測定する。干渉電力測定部１０１１は、測定した干渉電力を第一基地局１２０へ通知する。
【００８３】
第二基地局１３０の干渉電力測定部１０１２は、無線リソースを時分割した無線フレームごとに、端末装置１１０から第二基地局１３０への上りリンクの干渉電力を測定する。たとえば、干渉電力測定部１０１２は、端末装置１１０から送信される信号（たとえばパイロット信号）に基づいて干渉電力を測定する。干渉電力測定部１０１２は、測定した干渉電力を第一基地局１２０へ通知する。
【００８４】
なお、干渉電力測定部１０１１から第一基地局１２０への干渉電力の通知は、定期的に行っていてもよいし、端末装置１１０が第一基地局１２０へ非対称伝送要求を送信する場合に行ってもよい。また、干渉電力測定部１０１２から第一基地局１２０への干渉電力の通知は、定期的に行っていてもよいし、干渉電力測定部１０１２が第一基地局１２０から非対称伝送要求を受信した場合に行ってもよい。
【００８５】
第一基地局１２０の時分割制御部６１２は、端末装置１１０から通知された下りリンクの干渉電力と、第二基地局１３０から通知された上りリンクの干渉電力と、に基づいて、上りリンクと下りリンクのそれぞれに時間リソースを割り当てる。
【００８６】
たとえば、時分割制御部６１２は、端末装置１１０から通知された無線フレームごとの下りリンクの干渉電力に基づいて、下りリンクの干渉電力が小さい無線フレームを優先的に下りリンクに割り当てる。また、時分割制御部６１２は、第二基地局１３０から通知された無線フレームごとの上りリンクの干渉電力に基づいて、上りリンクの干渉電力が小さい無線フレームを優先的に上りリンクに割り当てる。
【００８７】
なお、端末装置１１０と第一基地局１２０との間の干渉電力の通知は、互いの無線通信インターフェースを介して行われる。また、第一基地局１２０と第二基地局１３０との間の干渉電力の通知は、互いの通信インターフェースを介して行われ、たとえば有線通信によって実現される。
【００８８】
図１１は、実施の形態４にかかる時間リソースの割り当ての一例を示す図である。図１１において、図４に示した部分と同様の部分については同一の符号を付して説明を省略する。干渉電力特性１１１０は、第一基地局１２０から端末装置１１０への下りリンクの干渉電力の、無線フレームごとの平均値を示している。この平均値は、たとえば一定周期ごとに算出した平均値である。ここでは、干渉電力特性１１１０は、無線フレーム「０」，「１」，「４」，「５」，「８」，「９」において比較的小さく、無線フレーム「２」，「３」，「６」，「７」において比較的大きくなっている。
【００８９】
干渉電力特性１１２０は、端末装置１１０から第二基地局１３０への上りリンクの干渉電力の、無線フレームごとの平均値を示している。この平均値は、たとえば一定周期ごとに算出した平均値である。干渉電力特性１１２０は、無線フレーム「０」，「１」，「４」，「５」，「８」，「９」において比較的大きく、無線フレーム「２」，「３」，「６」，「７」において比較的小さくなっている。
【００９０】
時分割制御部６１２は、干渉電力特性１１１０が小さい無線フレーム「０」，「１」，「４」，「５」，「８」，「９」を第一基地局１２０から端末装置１１０への下りリンクに割り当てる。また、時分割制御部６１２は、干渉電力特性１１２０が小さい無線フレーム「２」，「３」，「６」，「７」を端末装置１１０から第二基地局１３０への上りリンクに割り当てる。このように、時分割制御部６１２は、測定される干渉電力に基づいて、干渉電力がより小さくなるように動的に時間リソースを割り当てる。
【００９１】
このように、実施の形態４にかかる通信システム１００においては、端末装置１１０における上りリンクと下りリンクに対して、上りデータと下りデータの各干渉電力に基づいて時間リソースを割り当てる。これにより、上りリンクと下りリンクに対して干渉電力が小さい時間リソースを優先的に割り当てることが可能になるため、通信品質を向上させることができる。
【００９２】
（実施の形態５）
通信システム１００においては、制御チャネルの一部は、最適な基地局とは異なる基地局を用いて送受信される。たとえば、端末装置１１０における下りリンクについては第一基地局１２０が最適な基地局であるが、下り制御情報１５３（図１参照）は第二基地局１３０から端末装置１１０へ送信することになる。また、端末装置１１０における上りリンクについては第二基地局１３０が最適な基地局であるが、上り制御情報１４３（図１参照）は端末装置１１０から第一基地局１２０へ送信することになる。
【００９３】
下り制御情報１５３や上り制御情報１４３は、最適でない基地局との間で伝送されるため、最適な基地局との間で伝送する場合に比べて送信電力が大きくなる。このため、下り制御情報１５３や上り制御情報１４３による第一基地局１２０と第二基地局１３０の間の干渉が生ずることが考えられる。特に、上り制御情報１４３の送信電力が大きくなると、第二基地局１３０の通信への干渉が大きくなり、通信品質が劣化することが考えられる。
【００９４】
図１２は、実施の形態５にかかる通信システムの処理を示す図である。図１２において、図６に示した構成と同様の構成については同一の符号を付して説明を省略する。図１２に示すように、第一基地局１２０の無線スケジューラ６１３は、端末装置１１０における下りリンクの上り制御チャネルに割り当てた無線リソースを第二基地局１３０へ通知（上り制御チャネルリソース情報）する。
【００９５】
第二基地局１３０の無線スケジューラ６２２は、第一基地局１２０の無線スケジューラ６１３から通知された無線リソースとは異なる無線リソースを、第二基地局１３０の各通信に割り当てる。たとえば、無線スケジューラ６２２は、無線スケジューラ６１３から通知された無線リソースについては以降の使用を禁止する。また、無線スケジューラ６２２は、無線スケジューラ６１３から通知された無線リソースについて既に割り当てを行っていた場合には、別の空き時間リソースへの再割り当てを行う。
【００９６】
図１３は、実施の形態５にかかる時間リソースの割り当ての一例を示す図である。図１３において、図４に示した部分と同様の部分については同一の符号を付して説明を省略する。図１３の横軸は無線フレーム（時間リソース）を示している。図１３の縦軸は周波数リソースを示している。
【００９７】
下りリンクリソース１３１０は、端末装置１１０の下りリンクに対して割り当てられた無線リソースを示している。下りリンクリソース１３１０には、制御チャネルリソース１３１１と、データチャネルリソース１３１２と、が含まれている。制御チャネルリソース１３１１のうちの無線リソース１３１１ａは、端末装置１１０における下りリンクの上り制御チャネルに割り当てた無線リソースである。
【００９８】
上りリンクリソース１３２０は、端末装置１１０の上りリンクに対して割り当てられた無線リソースを示している。上りリンクリソース１３２０には、制御チャネルリソース１３２１と、データチャネルリソース１３２２と、が含まれている。制御チャネルリソース１３２１のうちの無線リソース１３２１ａは、制御チャネルリソース１３１１の無線リソース１３１１ａと同じ無線リソースである。
【００９９】
第一基地局１２０の無線スケジューラ６１３は、端末装置１１０における下りリンクの上り制御チャネルに割り当てた無線リソース１３２１ａを第二基地局１３０へ通知する。第二基地局１３０の無線スケジューラ６２２は、第一基地局１２０の無線スケジューラ６１３からの通知に基づいて、無線リソース１３２１ａとは異なる無線リソースを第二基地局１３０の各通信に割り当てる。
【０１００】
このように、実施の形態５にかかる通信システム１００においては、第一基地局１２０は、下りデータの送信のために端末装置１１０から受信する制御情報に割り当てた無線リソースを第二基地局１３０へ通知する。そして、第二基地局１３０は、第一基地局１２０から通知された時間リソースとは異なる無線リソースを第二基地局１３０における各通信に割り当てる。これにより、制御信号の送信電力の増加による、第二基地局１３０の通信への干渉を回避することができる。
【０１０１】
また、第二基地局１３０が、上りデータの受信のために端末装置１１０から受信する制御情報に割り当てた無線リソースを第一基地局１２０へ通知する構成としてもよい。この場合は、第一基地局１２０は、第二基地局１３０から通知された時間リソースとは異なる無線リソースを第一基地局１２０における各通信に割り当てる。これにより、制御信号の送信電力の増加による、第一基地局１２０の通信への干渉を回避することができる。
【０１０２】
（実施の形態６）
図１４は、上りリンクと下りリンクのタイミングの重なりの一例を示す図である。上りリンクと下りリンクに対して異なる無線フレームを割り当てても、下りリンクの通信と上りリンクの通信とでタイミングがずれていると、上りリンクと下りリンクの各通信が時間的に重なることが考えられる。
【０１０３】
たとえば、図１４に示すように、下りリンクの通信のタイミングに対して、上りリンクの通信のタイミングが早くなっていると、上りリンクと下りリンクの各通信が時間的に重なる。上りリンクと下りリンクの各通信が時間的に重なっている区間では、下りリンクと上りリンクのどちらか一方しか通信ができなくなる。
【０１０４】
図１５は、実施の形態６にかかる通信システムの処理を示す図である。図１５において、図６に示した構成と同様の構成については同一の符号を付して説明を省略する。端末装置１１０は、第一基地局１２０から定期的に送信されるパイロット信号に基づいて、第一基地局１２０における通信タイミングを測定する。また、端末装置１１０は、第二基地局１３０から定期的に送信されるパイロット信号に基づいて、第二基地局１３０における通信タイミングを測定する。端末装置１１０は、測定した第一基地局１２０と第二基地局１３０の各通信タイミングの情報を含む非対称伝送要求を第一基地局１２０へ送信する。
【０１０５】
時分割制御部６１２は、非対称伝送要求に含まれる第一基地局１２０と第二基地局１３０の各通信タイミングの情報に基づいて、上りリンクおよび下りリンクのそれぞれに時間リソースを割り当てる。具体的には、時分割制御部６１２は、第一基地局１２０による下りリンクと第二基地局１３０による上りリンクの通信タイミングが重ならないように、各通信タイミングに基づくガードタイムを有するように時間リソースを割り当てる。
【０１０６】
図１６は、実施の形態６にかかる時間リソースの割り当ての一例を示す図である。図１６において、図４に示した部分と同様の部分については同一の符号を付して説明を省略する。ここでは、下りリンクチャネル４１０に対して無線フレーム「０」，「１」，「４」，「５」，「８」，「９」が割り当てられている。また、上りリンクチャネル４２０に対して無線フレーム「２」，「３」，「６」，「７」が割り当てられている。
【０１０７】
このように、第一基地局１２０の時分割制御部６１２は、第一基地局１２０による下りリンクと第二基地局１３０による上りリンクの通信タイミングが重ならないように、各タイミングに基づくガードタイムを有するように時間リソースを割り当てる。ここでは、下りリンクに対して十分に長い時間リソースを割り当てることで、下りリンクと上りリンクの通信タイミングが重ならないようにしている。
【０１０８】
このように、実施の形態６にかかる通信システム１００においては、端末装置１１０が、第一基地局１２０の通信タイミングと第二基地局１３０の通信タイミングを測定する。そして、第一基地局１２０および第二基地局１３０は、上りリンクと下りリンクに対して、端末装置１１０によって測定された各タイミングに基づくガードタイムを有するように時間リソースを割り当てる。これにより、第一基地局１２０の通信タイミングと第二基地局１３０の通信タイミングにずれがあっても、上りリンクと下りリンクが時間的に重ならないようにガードタイムを設定し、通信品質を向上させることができる。
【０１０９】
（通信システムの変形例）
上述した各実施の形態においては、図１に示したように、第一基地局１２０と第二基地局１３０が別の基地局である場合について説明した。この場合は、第一基地局１２０と第二基地局１３０は、たとえば互いに基幹ネットワークを介して通信を行う。これに対して、第一基地局１２０と第二基地局１３０が同じ基地局に含まれる構成としてもよい。
【０１１０】
図１７は、図１に示した通信システムの変形例を示す図である。図１７に示すように、通信システム１００は、図１に示した構成に加えて基地局制御装置１７１０を含んでいる。第一基地局１２０および第二基地局１３０は、基地局制御装置１７１０に対して専用線などを介して接続されている。基地局制御装置１７１０は、第一基地局１２０および第二基地局１３０を制御することによって通信を行う。
【０１１１】
図１８は、図１７に示した基地局の処理の一例を示す図である。図１８に示す基地局１８００は、図１７に示した第一基地局１２０、第二基地局１３０および基地局制御装置１７１０を含む基地局である。基地局１８００は、端末通信部１８１１と、時分割制御部１８１２と、無線スケジューラ１８１３と、無線スケジューラ１８１４と、を備えている。
【０１１２】
端末通信部１８１１は、図６に示した端末通信部６１１に対応する構成である。端末通信部１８１１は、第一基地局１２０および第二基地局１３０によって実現され、端末装置１１０から送信された非対称伝送要求を受信して時分割制御部１８１２へ出力する。
【０１１３】
時分割制御部１８１２は、図６に示した時分割制御部６１２に対応する構成である。時分割制御部１８１２は、端末通信部１８１１から出力された非対称伝送要求に含まれる対象基地局の情報に基づいて、上りリンクと下りリンクに対して時間リソースを割り当てる。時分割制御部１８１２は、下りリンクに割り当てた時間リソースを無線スケジューラ１８１３へ通知する。また、時分割制御部１８１２は、下りリンクに割り当てた時間リソースを無線スケジューラ１８１４へ通知する。
【０１１４】
無線スケジューラ１８１３は、図６に示した無線スケジューラ６１３に対応する構成である。無線スケジューラ１８１３は、時分割制御部１８１２から通知された時間リソースによって、第一基地局１２０から端末装置１１０への下りリンクのスケジューリングを行う。基地局１８００は、無線スケジューラ１８１３によるスケジューリングの結果に基づいて端末装置１１０との間で下りリンクの通信を行う。
【０１１５】
無線スケジューラ１８１４は、図６に示した無線スケジューラ６２２に対応する構成である。無線スケジューラ１８１４は、時分割制御部１８１２から通知された時間リソースによって、端末装置１１０から第二基地局１３０への上りリンクのスケジューリングを行う。基地局１８００は、無線スケジューラ１８１４によるスケジューリングの結果に基づいて端末装置１１０との間で上りリンクの通信を行う。
【０１１６】
上述した実施の形態に関し、さらに以下の付記を開示する。
【０１１７】
（付記１）第一のセルを収容する基地局を介して下りデータを受信するとともに、前記下りデータの受信のための制御情報を前記第一のセルを収容する基地局との間で送受信する下り通信手段と、
前記第一のセルとは異なる第二のセルを収容する基地局を介して上りデータを送信するとともに、前記上りデータの送信のための制御情報を前記第二のセルを収容する基地局との間で送受信する上り通信手段と、
を備えることを特徴とする端末装置。
【０１１８】
（付記２）前記下り通信手段による通信と、前記上り通信手段による通信と、を時分割で切り替える制御手段を備えることを特徴とする付記１に記載の端末装置。
【０１１９】
（付記３）端末装置と、
第一のセルを収容し、前記端末装置へ下りデータを送信するとともに、前記下りデータの送信のための制御情報を前記端末装置との間で送受信する基地局と、
前記第一のセルとは異なる第二のセルを収容し、前記端末装置から上りデータを受信するとともに、前記上りデータの受信のための制御情報を前記端末装置との間で送受信する基地局と、
を含むことを特徴とする通信システム。
【０１２０】
（付記４）前記端末装置は、前記第一のセルを収容する基地局を介して下りデータを受信するとともに前記第二のセルを収容する基地局を介して上りデータを送信することを要求する要求信号を通信中の基地局へ送信し、
前記通信中の基地局は、前記端末装置から送信された要求信号に基づいて、前記端末装置へ前記下りデータを送信するように前記第一のセルを収容する基地局を制御するとともに、前記端末装置から前記上りデータを受信するように前記第二のセルを収容する基地局を制御することを特徴とする付記３に記載の通信システム。
【０１２１】
（付記５）前記第一のセルを収容する基地局および前記第二のセルを収容する基地局は、前記端末装置との通信を互いに時分割で行うことを特徴とする付記３または４に記載の通信システム。
【０１２２】
（付記６）前記第一のセルを収容する基地局および前記第二のセルを収容する基地局の各通信に対して、前記下りデータと前記上りデータの各トラフィック量に基づいて時間リソースを割り当てることを特徴とする付記５に記載の通信システム。
【０１２３】
（付記７）前記第一のセルを収容する基地局および前記第二のセルを収容する基地局の各通信に対して、前記下りデータと前記上りデータの各トラフィック量の比率に応じて時間リソースを割り当てることを特徴とする付記５に記載の通信システム。
【０１２４】
（付記８）前記第一のセルを収容する基地局および前記第二のセルを収容する基地局の各通信に対して、前記第一のセルを収容する基地局による通信と前記第二のセルを収容する基地局による通信の各干渉電力に基づいて時間リソースを割り当てることを特徴とする付記５に記載の通信システム。
【０１２５】
（付記９）前記第一のセルを収容する基地局は、前記下りデータの送信のために前記端末装置から受信する制御情報に割り当てた無線リソースを前記第二のセルを収容する基地局へ通知し、
前記第二のセルを収容する基地局は、前記第一のセルを収容する基地局から通知された時間リソースとは異なる無線リソースを前記第二のセルを収容する基地局の通信に割り当てることを特徴とする付記５に記載の通信システム。
【０１２６】
（付記１０）前記第二のセルを収容する基地局は、前記上りデータの受信のために前記端末装置から受信する制御情報に割り当てた無線リソースを前記第一のセルを収容する基地局へ通知し、
前記第一のセルを収容する基地局は、前記第二のセルを収容する基地局から通知された時間リソースとは異なる無線リソースを前記第一のセルを収容する基地局の通信に割り当てることを特徴とする付記５に記載の通信システム。
【０１２７】
（付記１１）前記端末装置は、前記第一のセルを収容する基地局の通信タイミングと、前記第二のセルを収容する基地局の通信タイミングと、を測定し、
前記第一のセルを収容する基地局および前記第二のセルを収容する基地局は、前記第一のセルを収容する基地局および前記第二のセルを収容する基地局の各通信に対して、前記端末装置によって測定された各タイミングに基づくガードタイムを有するように時間リソースを割り当てることを特徴とする付記５に記載の通信システム。
【０１２８】
（付記１２）端末装置における通信方法において、
第一のセルを収容する基地局を介して下りデータを受信するとともに、前記下りデータの受信のための制御情報を前記第一のセルを収容する基地局との間で送受信する下り通信工程と、
前記第一のセルとは異なる第二のセルを収容する基地局を介して上りデータを送信するとともに、前記上りデータの送信のための制御情報を前記第二のセルを収容する基地局との間で送受信する上り通信工程と、
を含むことを特徴とする通信方法。
【０１２９】
（付記１３）前記下り通信工程と前記上り通信工程とは時分割で行われることを特徴とする付記１２に記載の通信方法。
【符号の説明】
【０１３０】
１００  通信システム
１１０  端末装置
１２０  第一基地局
１３０  第二基地局
１４１  下りデータ
１５１  上りデータ
１４２，１５３  下り制御情報
１４３，１５２  上り制御情報
２１０  アンテナ
２２０  サーキュレータ
２３０，２４０  周波数変換回路
２５０  アナログデジタル変換回路
２６０  デジタルアナログ変換回路
２８３  加算回路
３３０  時分割制御回路
４１１ａ，４１３ａ，４２１ａ，４２３ａ  制御情報
４１０  下りリンクチャネル
４１２ａ，４２２ａ  データ
４２０  上りリンクチャネル
４１１，４２１  下り制御チャネル
４１３，４２３  上り制御チャネル
４１２  下りデータチャネル
４２２  上りデータチャネル
１１１０，１１２０  干渉電力特性
【図１】
0005488601.tif 000002
【図２】
0005488601.tif 000003
【図３】
0005488601.tif 000004
【図４】
0005488601.tif 000005
【図５】
0005488601.tif 000006
【図６】
0005488601.tif 000007
【図７】
0005488601.tif 000008
【図８】
0005488601.tif 000009
【図９】
0005488601.tif 000010
【図１０】
0005488601.tif 000011
【図１１】
0005488601.tif 000012
【図１２】
0005488601.tif 000013
【図１３】
0005488601.tif 000014
【図１４】
0005488601.tif 000015
【図１５】
0005488601.tif 000016
【図１６】
0005488601.tif 000017
【図１７】
0005488601.tif 000018
【図１８】
0005488601.tif 000019